(57)【特許請求の範囲】
【請求項１】
光ディスクが収納される合成樹脂成型品のメインシャーシと、
このメインシャーシに収納された前記光ディスクの記録面に対して接近／離間移動するように前記メインシャーシに支軸を中心として回動可能に支持されるとともに、光ヘッド、接近状態で前記光ディスクを回転させる第１の駆動機構、及び接近状態で前記光ヘッドを前記光ディスクの記録面に沿う径方向に往復移動させる第２の駆動機構を搭載したドライブシャーシと、を備え、
前記ドライブシャーシの一端近傍の両側面には、前記支軸が互いに同軸上に突出して設けられ、
前記メインシャーシには、
前記各支軸を前記ドライブシャーシの他端側から受け入れて、前記各支軸の周面のうちの前記他端へ向く方向での周面に接触する第１の接触面、及び前記他端へ向く方向と直角な方向でのそれぞれの周面に接触する第２、第３の接触面、並びに前記各支軸の端面に接触する第４の接触面を有する受入れ部と、
前記受入れ部の形成箇所とは異なる箇所から前記各第１の接触面へ向けて突出するとともに、前記ドライブシャーシの前記側面に向く方向とは反対方向へ押圧されて弾性変形された後、前記各受入れ部に前記各支軸が受け入れられ、次いで押圧が解除された後、前記各支軸の周面のうちの前記一端へ向く方向での周面に先端面が接触する突片部と、
が前記メインシャーシと一体成型により形成された光ピックアップ装置において、
前記各突片部のうちの一方の突片部には、その突片部への押圧解除に伴う弾性的な復元力を受けながら前記支軸の端面に接触する突起部が一体に形成されて、前記突片部自体の弾性変形によりドライブシャーシに生じた振動が減衰されるように構成され、
前記各突片部の前記先端面を含む角部のうちの前記ドライブシャーシの前記側面側の角部がＲ面取りされていて、そのＲ面取り箇所によって、前記押圧が解除された前記突片部の戻り過程で、その先端が前記各支軸に干渉することなく各支軸の周面と接触する位置まで至るように構成されていることを特徴とする光ピックアップ装置。
【請求項２】
前記ドライブシャーシが合成樹脂成型品であって、前記各支軸が前記ドライブシャーシと一体成型により形成されていることを特徴とする請求項１に記載の光ピックアップ装置。
【発明の詳細な説明】
【技術分野】
【０００１】
本発明は、情報記録媒体であるＣＤやＤＶＤ等の光ディスクに対して情報の再生や記録を行うための光ピックアップ装置に関する。
【背景技術】
【０００２】
一般に、光ピックアップ装置は、図７及び図８に示すように、大きくは、メインシャーシ１と、ドライブシャーシ２とから構成される。ここでの図７は従来一般の光ピックアップ装置の組立て後の状態を示す上面図、図８はその光ピックアップ装置の分解状態を示す上面図である。
【０００３】
メインシャーシ１は、例えばポリスチレン（ＰＳ）等の合成樹脂の成型品であり、このメインシャーシ１には、不図示のディスクトレイが正面（図７及び図８では下側）から内外（図７及び図８では上下方向）へ挿脱可能に支持されている。そして、メインシャーシ１の外部へ引き出されたディスクトレイ上に光ディスクが載置され、そのディスクトレイがメインシャーシ１の内部へ送り込まれることによって、メインシャーシ１内に光ディスクが収納される。
【０００４】
ドライブシャーシ２は、例えばポリフェニレンエーテル（ＰＰＥ）等の合成樹脂の成型品であり、一端２ｃ（図７及び図８では上側）近傍の左右両側面２ａ、２ｂ（図７及び図８では左右の側面）には、互いに同軸上に突出する支軸３Ａ、３Ｂがドライブシャーシ２と一体成型により形成されている。これらの各支軸３Ａ、３Ｂがメインシャーシ１に回動可能に支持される。その支持構造の詳細は後述する。そして、ドライブシャーシ２は、メインシャーシ１に対して各支軸３Ａ、３Ｂを中心として回動することにより、メインシャーシ１内に収納された光ディスクの記録面（図７及び図８では紙面の裏面側）に対して接近／離間移動（図７及び図８では紙面に対する垂直方向への移動）する。
【０００５】
また、ドライブシャーシ２には、光ディスクの記録面に記録されている情報を読み取ったり、その記録面に情報を書き込んだりするための光ヘッド（不図示）が搭載されている。更に、ドライブシャーシ２には、光ディスクに最接近した状態で光ディスクを回転させるために、光ディスクの中心付近をチャッキングするチャッキングプレート（不図示）や、このチャッキングプレートに回転力を与えるスピンドルモータ（不図示）といった、第１の駆動機構が搭載されている。更に、ドライブシャーシ２には、光ディスクに最接近した状態で光ヘッドを光ディスクの記録面に沿う径方向に往復移動させるために、いずれも不図示の光ヘッド走行ガイドやラックや歯車や電動モータといった、第２の駆動機構が搭載されている。なお、第２の駆動機構における電動モータからの駆動力は、メインシャーシ１に対してのドライブシャーシ２の回動やディスクトレイの挿脱にも用いられる。
【０００６】
続いて、メインシャーシ１によるドライブシャーシ２の各支軸３Ａ、３Ｂの回動可能な支持構造の詳細について、図７、図８に加え、図９〜図１６を参照しながら説明する。図９は従来の光ピックアップ装置の組立て後の状態での要部、すなわちドライブシャーシ２の左右各側面２ａ、２ｂに形成された各支軸３Ａ、３Ｂのうちで代表的に左側面２ａ側の支軸３Ａ付近を示す上面図である。図１０は図９の下面図、図１１は図９のＡ−Ａ断面
図、図１２は図９のＢ−Ｂ断面図である。図１３はその光ピックアップ装置の組立て中の状態での図９と同様の要部を示す上面図であり、図１４は図１３の下面図、図１５は図９のＡ−Ａ断面に相当する図１３のＣ−Ｃ断面図、図１６は図９のＢ−Ｂ断面に相当する図１３のＤ−Ｄ断面図である。
【０００７】
メインシャーシ１には、支軸３Ａを回動可能に支持するために、受入れ部４と、突片部５と、がメインシャーシ１と一体成型により形成されている。具体的には、受入れ部４は、支軸３Ａをドライブシャーシ２の他端２ｄ側（図７〜図１６では下側）から受け入れるものであって、受け入れた支軸３Ａに接触する第１〜第４の接触面４ａ〜４ｄを有する。第１の接触面４ａは、支軸３Ａの周面のうちの他端２ｄへ向く方向（図７〜図１６では下方向）での周面（図７〜図１６では下側）に接触する。第２、第３の接触面４ｂ、４ｃは、支軸３Ａの周面のうちの他端２ｄへ向く方向と直角な方向（図７〜図１０、図１３及び図１４では紙面に垂直方向で、図１１、図１２、図１５及び図１６では左右方向）でのそれぞれ周面に接触する。第４の接触面４ｄは、支軸３Ａの端面（図７〜図９、及び図１３では左側で、図１０及び図１４では右側で、図１１、図１２、図１５及び図１６では紙面の裏面側）に接触する。ここで、第２の接触面４ｂと第３の接触面４ｃとの間の隙間は、支軸３Ａの軸径とほぼ同じ寸法に設計されている。
【０００８】
他方、突片部５は、第１の接触面４ａへ向けて突出し、その先端面５ａと第１の接触面４ａと間の隙間が支軸３Ａの軸径よりも若干大きい寸法に設計されている。この突片部５からは、図７〜図９、及び図１３での紙面に対する裏側へ向けて（図１０及び図１４での紙面に対する手前側へ向けて、図１１、図１２、図１５及び図１６での右方向へ向けて）、レバー５ｂが突出している。そして、このレバー５ｂがドライブシャーシ２の左側面２ａに向く方向とは反対方向（図７〜図９、及び図１３では左方向で、図１０及び図１４では右方向で、図１１、図１２、図１５及び図１６では紙面の裏面側）へ押圧されることにより（図１３及び図１４の実線矢印参照）、突片部５がその押圧方向に弾性変形する。その押圧が解除されると、突片部５の弾性変形が復元力によって戻る（図９及び図１０の実線矢印参照）。
【０００９】
なお、ドライブシャーシ２の右側面２ｂに形成された支軸３Ｂに対しても、同様の受入れ部４及び突片部５が左右対称に形成されている。
【００１０】
このようなメインシャーシ１へのドライブシャーシ２の組付け手順としては、先ず、図１３〜図１６に示すように、メインシャーシ１における左右の各突片部５、５がレバー５ｂへの押圧によって弾性変形される。これにより、左右の各受入れ部４、４が開放される。その後、ドライブシャーシ２における左右の各支軸３Ａ、３Ｂを各受入れ部４、４に挿入する。次いで、図７、及び図９〜図１２に示すように、レバー５ｂへの押圧が解除されて、各突片部５、５の弾性変形が戻る。
【００１１】
こうして、各支軸３Ａ、３Ｂは、各受入れ部４、４の各第１〜第４の接触面４ａ〜４ｄ、４ａ〜４ｄに接触しつつ、残った一端２ｃへ向く方向（図７〜図１６では上方向）での周面（図７〜図１６では上側）が各突片部５、５の先端面５ａ、５ａに接触した状態になり、その結果としてドライブシャーシ２がメインシャーシ１に対して回動可能になる。
【００１２】
ところで、光ピックアップ装置においては、光ディスクの回転に起因して生じるドライブシャーシ２の不用意な振動を抑えることが重要である。その振動が過大になると、光ディスクに対する情報の再生や記録が困難になる状況が生じたり、不快な振動音が生じたりするからである。このような事態は、特に、重心が偏芯した光ディスク（以下、「偏重心ディスク」と記すことがある）の場合に顕著である。
【００１３】
そのため、従来の光ピックアップ装置では、例えば特許文献１、２に開示されているように、メインシャーシ１に対してドライブシャーシ２をばねやゴム等の弾性部材で別途支持し、その弾性部材により、ドライブシャーシ２の振動を減衰させて抑制していた。
【特許文献１】特開２００２−１３３８４８号公報
【特許文献２】特開平１１−１６３２８号公報
【発明の開示】
【発明が解決しようとする課題】
【００１４】
しかし、上記した従来の光ピックアップ装置におけるドライブシャーシ２の振動抑制構造では、別部品として弾性部材が必要であることから、コスト面で不利である。
【００１５】
そこで本発明は、上記の問題に鑑みてなされたものであり、簡単な構成でドライブシャーシの振動を抑制できる光ピックアップ装置を提供することを目的とするものである。
【課題を解決するための手段】
【００１６】
上記目的を達成するために本発明は、光ディスクが収納される合成樹脂成型品のメインシャーシと、このメインシャーシに収納された前記光ディスクの記録面に対して接近／離間移動するように前記メインシャーシに支軸を中心として回動可能に支持されるとともに、光ヘッド、接近状態で前記光ディスクを回転させる第１の駆動機構、及び接近状態で前記光ヘッドを前記光ディスクの記録面に沿う径方向に往復移動させる第２の駆動機構を搭載したドライブシャーシと、を備えている。また、前記ドライブシャーシの一端近傍の両側面には、前記支軸が互いに同軸上に突出して設けられている。前記メインシャーシには、前記各支軸を前記ドライブシャーシの他端側から受け入れて、前記各支軸の周面のうちの前記他端へ向く方向での周面に接触する第１の接触面、及び前記他端へ向く方向と直角な方向でのそれぞれの周面に接触する第２、第３の接触面、並びに前記各支軸の端面に接触する第４の接触面を有する受入れ部と、前記受入れ部の形成箇所とは異なる箇所から前記各第１の接触面へ向けて突出するとともに、前記ドライブシャーシの前記側面に向く方向とは反対方向へ押圧されて弾性変形された後、前記各受入れ部に前記各支軸が受け入れられ、次いで押圧が解除された後、前記各支軸の周面のうちの前記一端へ向く方向での周面に先端面が接触する突片部と、が前記メインシャーシと一体成型により形成されている。そして、前記各突片部のうちの一方の突片部には、その突片部への押圧解除に伴う弾性的な復元力を受けながら前記支軸の端面に接触する突起部が一体に形成されて、前記突片部自体の弾性変形によりドライブシャーシに生じた振動が減衰されるように構成され、前記各突片部の前記先端面を含む角部のうちの前記ドライブシャーシの前記側面側の角部がＲ面取りされていて、そのＲ面取り箇所によって、前記押圧が解除された前記突片部の戻り過程で、その先端が前記各支軸に干渉することなく各支軸の周面と接触する位置まで至るように構成されている。
【００１７】
このような構成にすれば、ドライブシャーシがメインシャーシに対して、各支軸が各受入れ部と各突片部とによって接触支持されることで回動可能になることは勿論であるが、更に、ドライブシャーシは、その一方の支軸の端面に接触する突片部の突起部から弾性的な復元力を受けているため、ドライブシャーシに生じた振動は、その突片部自体の弾性変形により、減衰されて抑制される。これは、一方の突片部に突起部を追加することで足りる。
【００１８】
また、前記各突片部の前記先端面を含む角部のうちの前記ドライブシャーシの前記側面側の角部がＲ面取りされていることにより、各突片部への押圧解除に伴う各突片部の弾性変形の戻り過程で、各突片部と各支軸の端面又は周面との干渉が防止される。
【００１９】
また、実用性を踏まえると、前記ドライブシャーシが合成樹脂成型品であって、前記各支軸が前記ドライブシャーシと一体成型により形成されていることが好ましい。
【発明の効果】
【００２０】
本発明の光ピックアップ装置によれば、ドライブシャーシに生じた振動は、一方の支軸の端面に弾性的に接触する突片部自体の弾性変形により、減衰されて抑制されるため、光ディスクに対しての情報の再生や記録中にドライブシャーシが不用意に振動してしまうことは無く、偏重心ディスクに対しての情報の再生や記録も安定して行える。
【発明を実施するための最良の形態】
【００２１】
以下に、本発明の実施形態について図面を参照しながら詳述する。先ず、本発明の第１実施形態の光ピックアップ装置について説明する。図１は本発明の各実施形態に共通する光ピックアップ装置の組立て後の状態を示す上面図、図２はその光ピックアップ装置の分解状態を示す上面図である。図３は第１実施形態である光ピックアップ装置の組立て後の状態での要部を示す上面図、図４は図３の下面図である。なお、これらの図中で図７〜図１６と同じ名称で同じ機能を果たす部分には同一の符号を付し、重複する説明は適宜省略する。後述する第２実施形態においても同様とする。また、図３及び図４では、ドライブシャーシ２の左右各側面２ａ、２ｂに形成された各支軸３Ａ、３Ｂのうちの左側面２ａ側の支軸３Ａ付近を要部として示す。
【００２２】
本実施形態では、従来の光ピックアップ装置での構成と同様に、ドライブシャーシ２の左右両側面２ａ、２ｂには、互いに同軸上に突出する支軸３Ａ、３Ｂがドライブシャーシ２と一体成型により形成されている。
【００２３】
また、メインシャーシ１には、支軸３Ａ、３Ｂを回動可能に支持するために、受入れ部４、４と、突片部５、５と、がメインシャーシ１と一体成型により異なる箇所に形成されている。但し、ドライブシャーシ２の左右の支軸３Ａ、３Ｂのうちで、右側面２ｂ側の支軸３Ｂを支持するための受入れ部４、突片部５は、従来の光ピックアップ装置での構成と同様であるが、他方の左側面２ａ側の支軸３Ａを支持するための受入れ部４、突片部５は、従来の光ピックアップ装置での構成とは次の点で異なる。
【００２４】
支軸３Ａを支持するための突片部５には、先端面５ａを含む角部のうちのドライブシャーシ２の左側面２ａ側とは反対側（図３では左側で、図４では右側（ちなみに図１、図２では左側））の角部から先端面５ａを超えて突出する突起部５ｃが形成されている。また、その支軸３Ａを支持するための受入れ部４については、その構成要素である第４の接触面４ｄを含む付近が、その突片部５の突起部５ｃと干渉しない程度に形成されている。その突起部５ｃ及び受入れ部４の形成は、メインシャーシ１を成型するための金型の彫込み形状を局部的に修正することで簡単に実現できる。
【００２５】
そして、このようなメインシャーシ１へドライブシャーシ２を組付ける際には、先ず、メインシャーシ１における左右の各突片部５、５がレバー５ｂへの押圧によって弾性変形され、これにより、左右の各受入れ部４、４が開放される。その後、ドライブシャーシ２における左右の各支軸３Ａ、３Ｂを各受入れ部４、４に挿入する。次いで、レバー５ｂへの押圧が解除される。
【００２６】
これにより、ドライブシャーシ２の右側面２ｂ側の支軸３Ｂについては、その周面に受入れ部４の第１〜第３の接触面４ａ〜４ｃが接触するとともに、その端面に受入れ部４の第４の接触面４ｄが接触する。ここでの突片部５は、レバー５ｂへの押圧解除に伴って弾性変形が戻り、その先端面５ａが支軸３Ｂにおける一端２ｃへ向く方向（図１〜図４では上方向）での周面（図１〜図４では上側）に接触した状態となる。
【００２７】
他方、ドライブシャーシ２の左側面２ａ側の支軸３Ａについては、その周面に受入れ部４の第１〜第３の接触面４ａ〜４ｃが接触するとともに、その端面に受入れ部４の第４の接触面４ｄが接触する。ここでの突片部５は、レバー５ｂへの押圧解除に伴って弾性変形が戻ろうとするが、その過程で、突起部５ｃが支軸３Ａの端面に当接し、そのまま突片部５自体の弾性的な復元力を受けながら突起部５ｃが支軸３Ａの端面に接触した状態となり、これと併せて、突片部５の先端面５ａが支軸３Ａにおける一端２ｃへ向く方向での周面に接触した状態となる。
【００２８】
こうして、各支軸３Ａ、３Ｂが各受入れ部４、４と各突片部５、５とによって接触支持され、その結果としてドライブシャーシ２がメインシャーシ１に対して回動可能になる。
【００２９】
このような構成にすれば、ドライブシャーシ２がメインシャーシ１に対して回動可能に支持されることは勿論であるが、更に、ドライブシャーシ２は、その右側面２ｂ側の支軸３Ａの端面に接触する突片部５の突起部５ｃから弾性的な復元力を受けているため、ドライブシャーシ２に生じた振動は、その突片部５自体の弾性変形により、減衰されて抑制される。従って、光ディスクに対しての情報の再生や記録中にドライブシャーシ２が不用意に振動してしまうことは無く、偏重心ディスクに対しての情報の再生や記録も安定して行える。
【００３０】
図５は光ピックアップ装置の組立て後の状態での要部を示す上面図、図６は図５の下面図である。
【００３１】
図５又は図６に現れているように、メインシャーシ１における各突片部５、５の各先端面５ａ、５ａを含む角部のうちのドライブシャーシ２の左右各側面２ａ、２ｂ側（図５では右側で、図６では左側）の角部がＲ面取りされている。そのＲ面取りの形成は、メインシャーシ１を成型するための金型の彫込み形状を局部的に修正することで簡単に実現できる。
【００３２】
このような構成にすれば、組付け後の各支軸３Ａ、３Ｂの周面が、常時、各突片部５、５の先端面５ａ、５ａと各第１の接触面４ａ、４ａとに接触するように、各突片部５、５の先端面５ａ、５ａと各第１の接触面４ａ、４ａと間の隙間を各支軸３Ａ、３Ｂの軸径とほぼ同じ寸法に設計した場合であっても、メインシャーシ１へのドライブシャーシ２の組付けの際、各受入れ部４、４に各支軸３Ａ、３Ｂが受け入れられた後に、各レバー５ｂへの押圧解除に伴って各突片部５、５の弾性変形が解放されると、各突片部５、５は、その戻り過程で、各支軸３Ａ、３Ｂの端面又は周面に干渉することなく、各突片部５、５の先端面５ａ、５ａが各支軸３Ａ、３Ｂの周面と接触する正規の位置まで至るようになる。従って、組付け不良は生じない。
【００３３】
つまり、組付け不良の発生無く、各支軸３Ａ、３Ｂが、常時、各受入れ部４、４の各第１〜第４の接触面４ａ〜４ｄ、４ａ〜４ｄ、及び各突片部５、５の先端面５ａ、５ａに接触した状態に、ドライブシャーシ２をメインシャーシ１に組付けることができる。従って、ドライブシャーシ２がメインシャーシ１に対して各支軸３Ａ、３Ｂを中心にガタツキ無く回動可能になり、その結果として、ドライブシャーシ２の振動の発生を抑えることが可能になる。
【００３４】
その他本発明は上記の各実施形態に限定されず、本発明の趣旨を逸脱しない範囲で、種々の変更が可能である。例えば、ドライブシャーシ２の右側面２ｂ側の支軸３Ｂを支持するための突片部５に、突起部５ｃを形成しても構わない。
【産業上の利用可能性】
【００３５】
本発明は、光ディスクに対して情報の再生や記録を行うための光ピックアップ装置に有用である。
【図面の簡単な説明】
【００３６】
【図１】本発明の光ピックアップ装置の組立て後の状態を示す上面図である。
【図２】図１の光ピックアップ装置の分解状態を示す上面図である。
【図３】本発明の光ピックアップ装置の組立て後の状態での要部を示す上面図である。
【図４】図３の下面図である。
【図５】本発明の光ピックアップ装置の組立て後の状態での要部を示す上面図である。
【図６】図５の下面図である。
【図７】従来一般の光ピックアップ装置の組立て後の状態を示す上面図である。
【図８】図７の光ピックアップ装置の分解状態を示す上面図である。
【図９】本発明にも一部共通する従来の光ピックアップ装置の組立て後の状態での要部を示す上面図である。
【図１０】図９の下面図である。
【図１１】図９のＡ−Ａ断面図である。
【図１２】図９のＢ−Ｂ断面図である。
【図１３】本発明にも一部共通する従来の光ピックアップ装置の組立て中の状態での要部を示す上面図である。
【図１４】図１３の下面図である。
【図１５】図９のＡ−Ａ断面に相当する図１３のＣ−Ｃ断面図である。
【図１６】図９のＢ−Ｂ断面に相当する図１３のＤ−Ｄ断面図である。
【符号の説明】
【００３７】
１  メインシャーシ
２  ドライブシャーシ
２ａ  左側面
２ｂ  右側面
２ｃ  一端
２ｄ  他端
３Ａ  支軸
３Ｂ  支軸
４  受入れ部
４ａ  第１の接触面
４ｂ  第２の接触面
４ｃ  第３の接触面
４ｄ  第４の接触面
５  突片部
５ａ  先端面
５ｂ  レバー
５ｃ  突起部
【図１】
0004453609.tif 000002
【図２】
0004453609.tif 000003
【図３】
0004453609.tif 000004
【図４】
0004453609.tif 000005
【図５】
0004453609.tif 000006
【図６】
0004453609.tif 000007
【図７】
0004453609.tif 000008
【図８】
0004453609.tif 000009
【図９】
0004453609.tif 000010
【図１０】
0004453609.tif 000011
【図１１】
0004453609.tif 000012
【図１２】
0004453609.tif 000013
【図１３】
0004453609.tif 000014
【図１４】
0004453609.tif 000015
【図１５】
0004453609.tif 000016
【図１６】
0004453609.tif 000017